(57)【要約】【課題】複数のラインセンサからなる複数ラインＣＣＤセンサにおける位置合せの補正に必要なメモリ容量を最小限に抑える。【解決手段】処理ＩＣ（ＣＰＵ）１１Ａは、画素数の異なるラインセンサで構成されたＣＣＤラインセンサ９を用いて画像を読取る際、画素数の小さいラインセンサから読み始めてライン間の読取位置合せを行う。【選択図】図２
2005124065.tif 000002
【特許請求の範囲】
【請求項１】
原稿の画像を読取る画像読取装置において、
画素数の少ないラインセンサから原稿の画像を読取り、最後に最も画素数の多いラインセンサで原稿の画像を読取るように構成された複数のラインセンサを有する光電変換手段と、
この光電変換手段で読取られたラインセンサ毎の画像情報を記憶する記憶手段と、
上記最も画素数の多いラインセンサで原稿の画像を読取った際、当該最も画素数の多いラインセンサで読取られた画像情報と上記記憶手段に記憶された他のラインセンサ毎の画像情報とを用いて、上記ラインセンサ間の読取位置を合わせる制御を行う制御手段と、
を具備したことを特徴とする画像読取装置。
【請求項２】
キャリッジ移動またはキャリッジを固定した原稿移動により原稿の画像を読取る画像読取装置において、
画素数の異なる複数のラインセンサを有する光電変換手段と、
この光電変換手段で読取られたラインセンサ毎の画像情報を記憶する記憶手段と、
上記キャリッジ移動またはキャリッジを固定した原稿移動による画像の読取りに応じて、上記記憶手段に記憶されたラインセンサ毎の画像情報と上記記憶手段に記憶しない最も画素数の多いラインセンサで読取られた画像情報とを用いて、上記ラインセンサ間の読取位置を合わせる制御を行う制御手段と、
を具備したことを特徴とする画像読取装置。
【請求項３】
上記光電変換手段は、最も画素数の多いラインセンサを端に配置したことを特徴とする請求項１または２に記載の画像読取装置。
【請求項４】
上記光電変換手段は、受光面に色フィルタを配置したラインセンサを有し、この受光面に色フィルタを配置したラインセンサは、受光面に色フィルタを配置しないラインセンサより画素数を少なくしたことを特徴とする請求項２記載の画像読取装置。
【請求項５】
上記制御手段は、上記キャリッジ移動またはキャリッジを固定した原稿移動による画像の読取りに応じて、上記光電変換手段の両端に配置された最も画素数の多いラインセンサのいずれか１つの出力に切り替える制御を行うことを特徴とする請求項２記載の画像読取装置。
【請求項６】
上記光電変換手段は、最も画素数の多いラインセンサを両端に配置したことを特徴とする請求項２記載の画像読取装置。
【請求項７】
上記制御手段は、上記キャリッジ移動による画像読取りの際、上記光電変換手段が有する第１のラインセンサと、この第１のラインセンサと同じ画素数の第２のラインセンサと、上記第１のラインセンサと第２のラインセンサとの間に配置された上記第１のラインセンサの画像数より少ない複数のラインセンサのうち、最初に原稿の画像を読取る第１のラインセンサで読取られた画像情報を用いず、最後に原稿の画像を読取る第２のラインセンサで読取られた画像情報と上記記憶手段に記憶された上記複数のラインセンサ毎の画像情報とを用いて、当該ラインセンサ間の読取位置を合わせる制御を行うことを特徴とする請求項２記載の画像読取装置。
【請求項８】
上記制御手段は、上記キャリッジを固定した原稿移動による画像読取りの際、上記光電変換手段が有する第１のラインセンサと、この第１のラインセンサと同じ画素数の第２のラインセンサと、上記第１のラインセンサと第２のラインセンサとの間に配置された上記第１のラインセンサの画像数より少ない複数のラインセンサのうち、最初に原稿の画像を読取る第２のラインセンサで読取られた画像情報を用いず、最後に原稿の画像を読取る第１のラインセンサで読取られた画像情報と上記記憶手段に記憶された上記複数のラインセンサ毎の画像情報とを用いて、当該ラインセンサ間の読取位置を合わせる制御を行うことを特徴とする請求項２記載の画像読取装置。
【請求項９】
画素数の異なる複数のラインセンサから構成される光電変換手段を用いて原稿の画像を読取る画像読取方法であって、
画素数の少ないラインセンサから原稿の画像を読取り、
この読取ったラインセンサ毎の画像情報を記憶し、
最後に最も画素数の多いラインセンサで原稿の画像を読取り、
この読取った最も画素数の多いラインセンサの画像情報と上記記憶された他のラインセンサ毎の画像情報とを用いて、上記ラインセンサ間の読取位置を合わせるようにしたことを特徴とする画像読取方法。
【請求項１０】
第１のラインセンサと、この第１のラインセンサと同じ画素数の第２のラインセンサと、上記第１のラインセンサと第２のラインセンサとの間に設けられた上記第１のラインセンサの画像数より少ない複数のラインセンサとから構成される光電変換手段を用いて、キャリッジ移動または原稿移動により原稿の画像を読取る画像読取方法であって、
上記キャリッジ移動による画像読取りの際、上記光電変換手段で読取られる第１及び第２のラインセンサ以外のラインセンサ毎の画像情報を記憶し、上記光電変換手段で最後に原稿の画像を読取る第１のラインセンサで読取られた画像情報と上記記憶された他のラインセンサ毎の画像情報とを用いて、当該ラインセンサ間の読取位置を合わせる制御を行い、
上記原稿移動による画像読取りの際、上記光電変換手段で読取られる第１及び第２のラインセンサ以外のラインセンサ毎の画像情報を記憶し、上記光電変換手段で最後に原稿の画像を読取る第２のラインセンサで読取られた画像情報と上記記憶された他のラインセンサ毎の画像情報とを用いて、当該ラインセンサ間の読取位置を合わせる制御を行うようにしたことを特徴とする画像読取方法。
【発明の詳細な説明】
【技術分野】
【０００１】
この発明は、ＣＣＤセンサを用いて原稿の画像を読取る画像読取装置と画像読取方法に関する。
【背景技術】
【０００２】
従来、画像読取装置におけるカラー画像読取り用には、ＲＥＤ、ＧＲＥＥＮ、ＢＬＵＥの３ラインで構成された３ラインＣＣＤセンサが一般的に採用されてきた。３ラインＣＣＤセンサは、各々受光面上にＲＥＤ、ＧＲＥＥＮ、ＢＬＵＥの色フィルタを配置した３つの１次元上のラインセンサを並べた構成である。そのため、すべてのラインセンサで原稿の同一箇所を同時に読取ることができない。
【０００３】
そこで、このような原稿走査方向の位置ずれは、ラインメモリ等で構成されたメモリ回路を用いて各ラインセンサの読取った画像信号の位置合せを行ってきた。
【０００４】
また、昨今、上記カラー画像読取りのための３ラインＣＣＤセンサにモノクロ画像読取りのためのラインセンサを加え、４ライン構成とした４ラインＣＣＤセンサも製品化されてきた。モノクロ画像読取り用のラインセンサは、受光面上に色フィルタが配置されていないものである。
【０００５】
この４ラインＣＣＤセンサにおいては、モノクロ画像読取り用のラインセンサと、カラー読取り用の３つのラインセンサとで画素の受光面積を変えたものが提案されている。このような４ラインＣＣＤセンサの場合、モノクロ原稿は高解像度で読取ることができ、カラー原稿は高感度で読取ることができる（例えば、特許文献１，２）。
【０００６】
しかしながら、上述したように、モノクロ画像読取り用のラインセンサに比べカラー画像読取り用の３つのラインセンサの受光面積を大きく設定した４ラインＣＣＤセンサの場合、各ラインセンサの位置により、原稿走査方向に対する画素位置合せの補正に必要なメモリ量が異なる問題が発生する。
【０００７】
すなわち、画素位置合せとは、モノクロ画像読取り用のラインセンサの位置を基準として他の３つのラインセンサに補正を加える場合と、カラー画像読取り用の１つラインセンサの位置を基準として他の３つのラインセンサに補正を加える場合とである。
【０００８】
また、原稿に対してキャリッジ移動による読取りと、キャリッジを固定して原稿を移動させる読取り（ＡＤＦ使用）とでは、原稿走査方向に対する画素位置合せの基準とするラインセンサが異なり、位置合せの補正に必要なメモリ量が異なる問題が発生する。
【特許文献１】特開２００３−８７５３２号公報
【特許文献２】特開２００３−８７５５６号公報
【発明の開示】
【発明が解決しようとする課題】
【０００９】
上記したように、モノクロ画像読取り用のラインセンサに比べカラー画像読取り用の３つのラインセンサの受光面積を大きく設定した４ラインＣＣＤセンサの場合、各ラインセンサの位置により画素位置合せの補正に必要なメモリ量が異なるという問題があった。また、原稿に対してキャリッジ移動による読取りと、キャリッジを固定して原稿を移動させる読取り（ＡＤＦ使用）とでは、原稿走査方向に対する画素位置合せの基準とするラインセンサが異なるので位置合せの補正に必要なメモリ量が異なるという問題があった。
【００１０】
この発明の目的は、複数のラインセンサからなる複数ラインＣＣＤセンサにおける位置合せの補正に必要なメモリ容量を最小限に抑えることのできる画像読取装置と画像読取方法を提供することである。
【課題を解決するための手段】
【００１１】
この発明の画像読取装置は、原稿の画像を読取る画像読取装置において、画素数の少ないラインセンサから原稿の画像を読取り、最後に最も画素数の多いラインセンサで原稿の画像を読取るように構成された複数のラインセンサを有する光電変換手段と、この光電変換手段で読取られたラインセンサ毎の画像情報を記憶する記憶手段と、上記最も画素数の多いラインセンサで原稿の画像を読取った際、当該最も画素数の多いラインセンサで読取られた画像情報と上記記憶手段に記憶された他のラインセンサ毎の画像情報とを用いて、上記ラインセンサ間の読取位置を合わせる制御を行う制御手段とから構成されている。
【００１２】
この発明の画像読取方法は、画素数の異なる複数のラインセンサから構成される光電変換手段を用いて原稿の画像を読取る画像読取方法であって、画素数の少ないラインセンサから原稿の画像を読取り、この読取ったラインセンサ毎の画像情報を記憶し、最後に最も画素数の多いラインセンサで原稿の画像を読取り、この読取った最も画素数の多いラインセンサの画像情報と上記記憶された他のラインセンサ毎の画像情報とを用いて、上記ラインセンサ間の読取位置を合わせるようにしたことを特徴とする。
【発明の効果】
【００１３】
本発明の画像読取装置と画像読取方法は、複数のラインセンサからなる複数ラインＣＣＤセンサにおける位置合せの補正に必要なメモリ容量を最小限に抑えることができる。
【発明を実施するための最良の形態】
【００１４】
以下、図面を参照して、この発明の実施の形態について詳細に説明する。
【００１５】
図１は、この発明の画像読取装置に係る第１実施例のスキャナの概略構成を示すものである。
【００１６】
このスキャナは、光源１、光源１の配光特性の補正を行うリフレクタ２、第１ミラー３からなる第１キャリジ４、第２ミラー５と第３ミラー６とからなる第２キャリジ７、集光レンズ８、ＣＣＤラインセンサ９を実装するＣＣＤセンサ基板１０、ＣＣＤセンサ９の制御および各種処理を行う制御基板１１、白色の基準となる白基準板１２、原稿ｏｒｇを置くための原稿ガラス１３、原稿ｏｒｇが浮かないように固定する原稿押さえカバー１４、及び全ての構成を配置するためのスキャナ筐体１５とから構成される。
【００１７】
本第１実施例は、ＣＣＤラインセンサ９と制御基板１１に関するものである。
【００１８】
まず、図１を参照してスキャナの概略動作を説明する。
【００１９】
光源１から照射された光は、原稿ガラス１３を透過して原稿ｏｒｇに照射される。また、光源１から照射される光の配光は一様でなく、原稿ｏｒｇ上の照度に配光ムラが生じてしまうため、リフレクタ２からの反射光も原稿ｏｒｇに照射することで原稿ｏｒｇ上の配光を一様にしている。
【００２０】
原稿ｏｒｇからの反射光は、第１ミラー３、第２ミラー５、第３ミラー６で反射され、集光レンズ８を透過してＣＣＤラインセンサ９の受光面に結像する。ＣＣＤラインセンサ９は、ＣＣＤセンサ基板１０上に実装され、制御基板１１から入力する制御信号により制御される。
【００２１】
原稿押さえカバー１４は、原稿ガラス１３上に置かれた原稿ｏｒｇの読取り面が原稿ガラス１３に密着するように押さえつけるものである。
【００２２】
ＣＣＤラインセンサ９の構成の詳細は図３以降で説明するが、ＣＣＤラインセンサ９から出力されるアナログ信号は、各光電変換部の変換効率ばらつきによる高周波歪と、集光レンズ８を用いた縮小光学系であることに起因する収差からなる低周波歪を含んでいるため、正規化補正を行うため基準となるデータが必要となる。図１では、その基準データは、白基準板１２を読取った際の画像データとする。
【００２３】
図２は、制御基板１１の概略構成を示すものである。
【００２４】
制御基板１１は、各種処理を行う処理ＩＣ（ＣＰＵ）１１Ａ、各種タイミングを生成する各種タイミング生成回路１１Ｂ、ＣＣＤラインセンサ９からのアナログ信号を処理してアナログ信号をデジタル信号に変換するまでの処理を行う各種アナログ処理回路１１Ｃ、各種アナログ処理回路１１Ｃから出力されるデジタル信号に対して高周波及び低周波歪を補正するシェーディング補正、複数のラインセンサ間のライン位置ずれを補正するためのライン間補正処理等の画像補正を行う画像処理回路部１１Ｅ、及びライン間補正処理を行う際にライン単位で画像データを遅延させるラインメモリ回路１１Ｄとで構成される。
【００２５】
また、この処理ＩＣ（ＣＰＵ）１１Ａは、ＣＣＤセンサ基板１０に実装するＣＣＤセンサ制御回路１０Ａ、光源１の発光を制御する光源制御回路１６、第１キャリジ４と第２キャリジ７とを移動させるモータ１８を制御する駆動系制御回路１７とを制御する。
【００２６】
ＣＣＤセンサ基板１０は、ＣＣＤラインセンサ９、ＣＣＤラインセンサ９を駆動するＣＣＤセンサ制御回路１０Ａ、ＣＣＤセンサ制御回路１０Ａの出力を受けてＣＣＤラインセンサ９の駆動条件に合わせるＣＣＤドライバ１０Ｂとで構成される。
【００２７】
図３は、ＣＣＤラインセンサ９の概略構成を示すものである。
【００２８】
ＣＣＤラインセンサ９は、４ラインＣＣＤセンサであり、ＲＥＤフォトダイオードアレイ９Ｒ１、ＧＲＥＥＮフォトダイオードアレイ９Ｇ１、ＢＬＵＥフォトダイオードアレイ９Ｂ１、及びＢＬＡＣＫフォトダイオードアレイ９Ｋ１とから構成されている。
【００２９】
ＲＥＤフォトダイオードアレイ９Ｒ１は、図示しないＲＥＤの色フィルタが受光面上に配置され、入射光量に応じた電荷量に変換（光電変換）して各フォトダイオードに電荷を蓄積する。蓄積された電荷は、シフトゲート９Ｒ２に印加される制御信号ＳＨ１によりシフトゲート９Ｒ２を通りアナログシフトレジスタ９Ｒ３に転送される。アナログシフトレジスタ９Ｒ３に転送された電荷は、制御信号φ１、φ２により順次後段の出力ＡＭＰ９Ｒ４に移動し、出力ＡＭＰ９Ｒ４から外部に出力される。そのときの出力信号をＯＵＴ１とする。
【００３０】
同様に、ＧＲＥＥＮフォトダイオードアレイ９Ｇ１は、図示しないＧＲＥＥＮの色フィルタが受光面上に配置され、入射光量に応じた電荷量に変換（光電変換）して各フォトダイオードに電荷を蓄積する。蓄積された電荷は、シフトゲート９Ｇ２に印加する制御信号ＳＨ２によりシフトゲート９Ｇ２を通りアナログシフトレジスタ９Ｇ３に転送される。アナログシフトレジスタ９Ｇ３に転送された電荷は、制御信号φ１、φ２により順次後段の出力ＡＭＰ９Ｇ４に移動し、出力ＡＭＰ９Ｇ４から外部に出力される。そのときの出力信号をＯＵＴ２とする。
【００３１】
同様に、ＢＬＵＥフォトダイオードアレイ９Ｂ１は、図示しないＢＬＵＥの色フィルタが受光面上に配置され、入射光量に応じた電荷量に変換（光電変換）して各フォトダイオードに電荷を蓄積する。蓄積された電荷は、シフトゲート９Ｂ２に印加する制御信号ＳＨ３によりシフトゲート９Ｂ２を通りアナログシフトレジスタ９Ｂ３に転送される。アナログシフトレジスタ９Ｂ３に転送された電荷は、制御信号φ１、φ２により順次後段の出力ＡＭＰ９Ｂ４に移動し、出力ＡＭＰ９Ｂ４から外部に出力される。そのときの出力信号をＯＵＴ３とする。
【００３２】
同様に、ＢＬＡＣＫフォトダイオードアレイ９Ｋ１は、色フィルタが受光面上に配置されず、入射光量に応じた電荷量に変換（光電変換）して各フォトダイオードに電荷を蓄積する。蓄積された電荷は、シフトゲート９Ｋ２に印加する制御信号ＳＨ４によりシフトゲート９Ｋ２を通りアナログシフトレジスタ９Ｋ３に転送される。アナログシフトレジスタ９Ｋ３に転送された電荷は、制御信号φ１、φ２により順次後段の出力ＡＭＰ９Ｋ４に移動し、出力ＡＭＰ９Ｋ４から外部に出力される。そのときの出力信号をＯＵＴ４とする。
【００３３】
すなわち、ＣＣＤラインセンサ９は、上述した各フォトダイオードアレイ、シフトゲート、アナログシフトレジスタ、出力ＡＭＰが所定の位置に配置されている。
【００３４】
次に、ＣＣＤラインセンサ９の配置例を説明する。本実施例の配置例においては、原稿走査方向に最初にＲＥＤフォトダイオードアレイ９Ｒ１が配置され、原稿走査方向ｍライン後にＧＲＥＥＮフォトダイオードアレイ９Ｇ１が配置され、原稿走査方向ｍライン後にＢＬＵＥフォトダイオードアレイ９Ｂ１が配置され、原稿走査方向ｎライン後にＢＬＡＣＫフォトダイオードアレイ９Ｋ１が配置されている。
【００３５】
ここで、ＲＥＤフォトダイオードアレイ９Ｒ１、ＧＲＥＥＮフォトダイオードアレイ９Ｇ１、ＢＬＵＥフォトダイオードアレイ９Ｂ１に各フォトダイオードのサイズ（以下、画素サイズと記す）は、ＢＬＡＣＫフォトダイオードアレイ９Ｋ１の画素サイズより大きい構成である。それに伴い、ＲＥＤフォトダイオードアレイ９Ｒ１、ＧＲＥＥＮフォトダイオードアレイ９Ｇ１、ＢＬＵＥフォトダイオードアレイ９Ｂ１の画素数は、ＢＬＡＣＫフォトダイオードアレイ９Ｋ１よりも少なくなる。
【００３６】
本実施例では、ＢＬＡＣＫフォトダイオードアレイの画素サイズをａ×ａ、ＲＥＤフォトダイオードアレイ９Ｒ１、ＧＲＥＥＮフォトダイオードアレイ９Ｇ１、ＢＬＵＥフォトダイオードアレイ９Ｂ１の各画素サイズを（ａ×２）×（ａ×２）とする。
【００３７】
その際、各フォトダイオードアレイの長手方向の長さはすべて同一のため、ＲＥＤフォトダイオードアレイ９Ｒ１、ＧＲＥＥＮフォトダイオードアレイ９Ｇ１、ＢＬＵＥフォトダイオードアレイ９Ｂ１の画素数は、ＢＬＡＣＫフォトダイオードアレイ９Ｋ１の画素数の半分となる。
【００３８】
ＢＬＡＣＫフォトダイオードアレイ９Ｋ１は、Ａ４サイズの長手方向である２９７ｍｍ幅を解像度６００ｄｐｉで読取る場合、６００ｄｐｉ／２５．４ｍｍ×２９７ｍｍ＝７０１５．７となり、最低でも７０１６以上の画素数が必要となる。
【００３９】
従って、ＢＬＡＣＫフォトダイオードアレイ９Ｋ１は、ＣＣＤラインセンサ９の取り付け誤差や原稿ｏｒｇの置かれる場所のずれを考慮すると７０１６＋αの画素数が必要となる。ここでは、ＢＬＡＣＫフォトダイオードアレイ９Ｋ１の画素数を７５００画素とする。
【００４０】
この場合、ＲＥＤフォトダイオードアレイ９Ｒ１、ＧＥＥＮフォトダイオードアレイ９Ｇ１、ＢＬＵＥフォトダイオードアレイ９Ｂ１の画素数は、３７５０画素（７５００画素の半分）となる。
【００４１】
本実施例では、図３に示したように、ＢＬＡＣＫフォトダイオードアレイ９Ｋ１をデバイス（ＣＣＤラインセンサ９）内の端（図上、下端）に設けたことを特徴とする。
【００４２】
次に、このような構成において、ＢＬＡＣＫフォトダイオードアレイ９Ｋ１をデバイスの端に設けることのメリットを説明する。
【００４３】
図４は、原稿ｏｒｇに「Ｇ」という情報が記載されている。この原稿ｏｒｇを図１に示したスキャナを用いて読取りを行う。ＣＣＤラインセンサ９の内部は、図３に示した通り４つのラインセンサで構成され、各ラインセンサの読取位置が構成されている。
【００４４】
図１に示すように、原稿ガラス１３上の原稿ｏｒｇから反射光は、第１ミラー３、第２ミラー５、第３ミラー６に反射され、集光レンズ８を通ってＣＣＤラインセンサ９に受光される。
【００４５】
その際、本第１実施例のＣＣＤラインセンサ９は、ＢＬＡＣＫフォトダイオードアレイ９Ｋ１が上に来るように配置されている。すなわち、一番上に、ＢＬＡＣＫフォトダイオードアレイ９Ｋ１、続いてＢＬＵＥフォトダイオードアレイ９Ｂ１、続いてＧＥＥＮフォトダイオードアレイ９Ｇ１、そして最後にＲＥＤフォトダイオードアレイ９Ｒ１が配置されている。
【００４６】
このような配置により、原稿面上ではＲＥＤ、ＧＲＥＥＮ、ＢＬＵＥ、ＢＬＡＣＫの順で画像が読取られることになる。
【００４７】
図５は、この原稿読取り時の各色フォトダイオードアレイからの出力タイミングを示すものである（キャリッジ移動）。すなわち、最初にＲＥＤ、ｍライン後にＧＲＥＥＮ、さらにｍライン後にＢＬＵＥ、そしてｎライン後にＢＬＡＣＫが出力される。
【００４８】
また、各読取り位置の間隔は、図３に示した各色フォトダイオードアレイの配置と、光学倍率により決定される。
【００４９】
すなわち、ＲＥＤフォトダイオードアレイ９Ｒ１とＧＲＥＥＮフォトダイオードアレイ９Ｇ１の間隔がＢＬＡＣＫフォトダイオードアレイ９Ｂ１の画素サイズａのｍ倍である。従って、ＢＬＡＣＫフォトダイオードアレイ９Ｋ１で原稿を６００ｄｐｉの解像度で読取るためには、光学的に画素サイズａ×ａが原稿面上で４２．３μｍ×４２．３μｍとなるよう調整を行うため、ｍライン＝ｍ×４２．３μｍ、ｎライン＝ｎ×４２．３μｍとなる。
【００５０】
次に、このような構成において、第１実施例における読取り動作を図６のフローチャートを参照して説明する。上述したｍを４ライン、ｎを６ラインと仮定する。
【００５１】
まず、処理ＩＣ（ＣＰＵ）１１Ａは、光源制御回路１６、駆動系制御回路１７を制御して原稿ｏｒｇの読取りを開始する（ＳＴ１）。
【００５２】
原稿ｏｒｇからの反射光は、第１ミラー３、第２ミラー５、第３ミラー６で反射され、集光レンズ８を透過してＣＣＤラインセンサ９の受光面に結像する（ＳＴ２）。
【００５３】
この際、ＣＣＤラインセンサ９では、図７に示す読取り順番で反射光が読取られる。
【００５４】
図７において、ＲＥＤフォトダイオードアレイ９Ｒ１が、原稿を読み始めたときを基準と考えて１ライン目とする（ＳＴ３）。
【００５５】
ＲＥＤの１ライン目の画像情報は、４ライン（ｍ＝４）遅れてＧＲＥＥＮフォトダイオードアレイ９Ｇ１が読取る（ＳＴ４）。
【００５６】
更に、そこから４ライン遅れてＢＬＵＥフォトダイオードアレイ９Ｂ１がＲＥＤの１ライン目の画像相当を読取る（ＳＴ５）。
【００５７】
更に、６ライン（ｎ＝６）遅れてＢＬＡＣＫフォトダイオードアレイ９Ｋ１がＲＥＤの１ライン目の画像相当を読取る（ＳＴ６）。
【００５８】
よって、ＲＥＤ、ＧＲＥＥＮ、ＢＬＵＥ、ＢＬＡＣＫすべてのフォトダイオードアレイが原稿ｏｒｇ上の同一箇所を読取るまでに１４ライン分の時間が必要となる。
【００５９】
従って、すべての画像情報を重ね合わせるには、ＲＥＤ画像情報を１４ライン、ＧＲＥＥＮ画像情報を１０ライン、ＢＬＵＥ画像情報を６ライン遅らせる必要がある。
【００６０】
そこで、処理ＩＣ（ＣＰＵ）１１Ａは、図２に示した制御基板１１の画像処理回路部１１Ｅ及びラインメモリ回路１１Ｄを用いて画像情報を遅らせる処理を行う（ＳＴ７）。
【００６１】
処理ＩＣ（ＣＰＵ）１１Ａは、原稿の読取り終了の指示に応じて読取り動作を終了する（ＳＴ８）。
【００６２】
各フォトダイオードアレイの画素数と上記ライン間隔を考慮して必要なラインメモリ容量を算出すると以下のようになる。
【００６３】
ＲＥＤ関連：３７５０画素×１４ライン→４ｋＢｙｔｅ×１４ライン＝５６ｋＢｙｔｅ
ＧＲＥＥＮ関連：３７５０画素×１０ライン→４ｋＢｙｔｅ×１０ライン＝４０ｋＢｙｔｅ
ＢＬＵＥ関連：３７５０画素×６ライン→４ｋＢｙｔｅ×６ライン＝２４ｋＢｙｔｅ
従って、本第１実施例で必要なメモリ容量は、１２０ｋＢｙｔｅとなる。
【００６４】
これに対して、例えば、ＣＣＤラインセンサ９の取り付けを上下逆にした場合、画素数の大きいＢＬＡＣＫフォトダイオードアレイ９Ｂ１が上記ＲＥＤフォトダイオードアレイ９Ｒ１の位置に来るから、読取り順番は図８に示すようになる。
【００６５】
それぞれのラインの補正量は以下のようになる。
【００６６】
ＢＬＡＣＫ関連：７５００画素×１４ライン→８ｋＢｙｔｅ×１４ライン＝１１２ｋＢｙｔｅ
ＢＬＵＥ関連：３７５０画素×８ライン→４ｋＢｙｔｅ×８ライン＝３２ｋＢｙｔｅ
ＧＲＥＥＮ関連：３７５０画素×４ライン→４ｋＢｙｔｅ×４ライン＝１６ｋＢｙｔｅ
従って、必要なメモリ容量は１６０ｋＢｙｔｅとなる。そのため、上記、画素数の少ない色から読み始めた方が少ないメモリ容量で補正できることになる。
【００６７】
また、上述した内容は読取り倍率を１００％として計算したが、読取り倍率によっても必要なメモリ容量が変わってくる。
【００６８】
例えば、読取り倍率を４００％とすると、第１キャリジ４と第２キャリジ７のそれぞれの移動速度が１／４になるため、原稿面上の画像情報位置合せのためのライン間補正データが４倍必要となる。
【００６９】
従って、ＲＥＤ先読み時は１２０ｋＢｙｔｅ×４＝４８０ｋＢｙｔｅ、ＢＬＡＣＫ先読み時は１６０ｋＢｙｔｅ×４＝６４０ｋＢｙｔｅとなる。画素数の少ないＲＥＤから読み始め、最後に画素数の多いＢＬＡＣＫを読んだ方がライン間補正用のラインメモリの容量が少なくてすむことが分る。
【００７０】
本第１実施例は、画素数の異なるラインセンサで構成されたＣＣＤラインセンサ９を用いて画像を読取る際、画素数の小さいラインセンサから読み始めることを特徴とする。
【００７１】
次に、第２実施例について説明する。
【００７２】
図９は、第２実施例に係るスキャナの概略構成を示すものである。図１に示す第１実施例のスキャナと同一箇所には同一符号を付して説明を省略する。すなわち、ＣＣＤセンサ基板１０上には、詳しくは後述するが５ラインセンサを有するＣＣＤラインセンサ２９が設けられている。また、スキャナ筐体１５上には、原稿押さえカバー１４の代りに自動原稿送り装置３０が設けられている。
【００７３】
自動原稿送り装置３０は、原稿ｏｒｇを載せるための原稿トレイ１５、原稿ｏｒｇの先端が水平になり、また、原稿ｏｒｇを上から取り出すためのピックアップローラ１６、原稿ｏｒｇを１枚ずつに分離するためのレジストローラ対１７、原稿ｏｒｇを搬送するための搬送ドラム１８、搬送ドラム１８から原稿が離れないように配置された搬送ローラ１９，１９，１９、搬送ドラム１８により搬送された原稿ｏｒｇが搬出される原稿排紙部２０とから構成される。
【００７４】
なお、制御基板１１の構成は、第１実施例の図２と同じなので説明を省略する。
【００７５】
図１０は、ＣＣＤラインセンサ２９の概略構成を示すものである。本実施例のＣＣＤラインセンサ２９は、５ラインＣＣＤセンサであり、ＲＥＤフォトダイオードアレイ９Ｒ１、ＧＲＥＥＮフォトダイオードアレイ９Ｇ１、ＢＬＵＥフォトダイオードアレイ９Ｂ１、ＢＬＡＣＫ１フォトダイオードアレイ９Ｋ１１、及びＢＬＡＣＫ２フォトダイオードアレイ９Ｋ１２とから構成されている。
【００７６】
なお、第２実施例のＣＣＤラインセンサ２９と第１実施例のＣＣＤラインセンサ９と同一箇所には同一符号を付して説明を省略する。従って、ＲＥＤフォトダイオードアレイ９Ｒ１、ＧＲＥＥＮフォトダイオードアレイ９Ｇ１、ＢＬＵＥフォトダイオードアレイ９Ｂ１については、説明を省略する。
【００７７】
異なっているＢＬＡＣＫ１フォトダイオードアレイ９Ｋ１１は、色フィルタが受光面上に配置されず、入射光量に応じた電荷量に変換（光電変換）して各フォトダイオードに電荷を蓄積する。蓄積された電荷は、シフトゲート９Ｋ２１に印加する制御信号ＳＨ４によりシフトゲート９Ｋ２１を通りアナログシフトレジスタ９Ｋ３１に転送される。アナログシフトレジスタ９Ｋ３１に転送された電荷は、制御信号φ１、φ２により順次後段の出力ＡＭＰ９Ｋ４１に移動し、出力ＡＭＰ９Ｋ４１から外部に出力される。そのときの出力信号をＯＵＴ４１とする。
【００７８】
また、ＢＬＡＣＫ２フォトダイオードアレイ９Ｋ１２は、色フィルタが受光面上に配置されず、入射光量に応じた電荷量に変換（光電変換）して各フォトダイオードに電荷を蓄積する。蓄積された電荷は、シフトゲート９Ｋ２２に印加する制御信号ＳＨ５によりシフトゲート９Ｋ２２を通りアナログシフトレジスタ９Ｋ３２に転送される。アナログシフトレジスタ９Ｋ３２に転送された電荷は、制御信号φ１、φ２により順次後段の出力ＡＭＰ９Ｋ４２に移動し、出力ＡＭＰ９Ｋ４２から外部に出力される。そのときの出力信号をＯＵＴ４２とする。
【００７９】
これらの各フォトダイオードアレイ、シフトゲート、アナログシフトレジスタ、出力ＡＭＰが所定の位置に配置されている。
【００８０】
次に、ＣＣＤラインセンサ２９の配置例を説明する。本実施例の配置例においては、図１０に示すように、最初にＢＬＡＣＫ２フォトダイオードアレイ９Ｋ１２、ｎライン後にＲＥＤフォトダイオードアレイ９Ｒ１が配置され、ｍライン後にＧＲＥＥＮフォトダイオードアレイ９Ｇ１が配置され、ｍライン後にＢＬＵＥフォトダイオードアレイ９Ｂ１が配置され、ｎライン後にＢＬＡＣＫ１フォトダイオードアレイ９Ｋ１１が配置されている。
【００８１】
ここで、ｍ、ｎは、ＢＬＡＣＫ１フォトダイオードアレイ９Ｋ１１またはＢＬＡＣＫ２フォトダイオードアレイ９Ｋ１２の画素サイズであるａを基準としたときのｍ倍、ｎ倍とする。
【００８２】
スキャナは、図９に示すように集光レンズ８を用いた縮小光学系であるので、ＣＣＤラインセンサ２９は、ＢＬＡＣＫ１フォトダイオードアレイ９Ｋ１１が上に来るように配置されている。すなわち、上からＢＬＡＣＫ１フォトダイオードアレイ９Ｋ１１、ＢＬＵＥフォトダイオードアレイ９Ｂ１、ＧＲＥＥＮフォトダイオードアレイ９Ｇ１、ＲＥＤフォトダイオードアレイ９Ｒ１、及びＢＬＡＣＫ２フォトダイオードアレイ９Ｋ１２が順番に配置されている。
【００８３】
この配置により原稿面上では、ＢＬＡＣＫ２、ＲＥＤ、ＧＲＥＥＮ、ＢＬＵＥ、ＢＬＡＣＫ１の順で画像が読取られる。
【００８４】
また、各読取り位置の間隔は、図１０に示した各色フォトダイオードアレイの配置と、光学倍率により決定される。
【００８５】
次に、このような構成において、自動原稿送り装置３０を用いた第２実施例におけるキャリッジ固定の読取り動作を図１１のフローチャートを参照して説明する。
【００８６】
まず、ＣＰＵ１１Ａは、画像データの基準を作成するために光源１を消灯し、ＣＣＤラインセンサ２９にまったく光が入射しない状態とし、そのときの画像信号を黒色の基準信号として保管する（ＳＴ１１）。
【００８７】
その後、ＣＰＵ１１Ａは、第１キャリジ４と第２キャリジ７とを白基準板１２の反射光がＣＣＤラインセンサ２９に結像する位置まで移動させる。ＣＰＵ１１Ａは、第１キャリジ４と第２キャリジ７とを移動させながら白基準板１２を読取った画像信号を白基準信号として保管する（ＳＴ１２）。
【００８８】
このとき、白基準板１２に傷や汚れがあると、その情報も基準信号として保管されてしまう。そのため、移動させながら読取った画像信号は、平均化して白基準信号とすることにより傷や汚れの影響を低減している。
【００８９】
続いて、ＣＰＵ１１Ａは、第１キャリジ４と第２キャリジ７とを読取位置に移動して固定する（ＳＴ１３）。
【００９０】
原稿トレイ１５に置かれた原稿ｏｒｇは、ピックアップローラ１６で上面から１枚引かれてレジストローラ対１７へ導かれる。原稿ｏｒｇは、レジストローラ対１７で読取りタイミングが合わされ、原稿曲がり等が補正されてベルト搬送ドラム１８に達する。
【００９１】
その後、原稿ｏｒｇは、搬送ドラム１８から離れないように搬送ローラ１９で順次搬送される。
【００９２】
ＣＰＵ１１Ａは、原稿ｏｒｇが読取り位置まで来た際（ＳＴ１４）、読取位置で光源１により原稿ｏｒｇを照射する（ＳＴ１５）。原稿ｏｒｇからの反射光は、第１ミラー３、第２ミラー５で反射し、集光レンズ８を透過してＣＣＤラインセンサ２９の受光面上に結像する（ＳＴ１６）。
【００９３】
そして、処理ＩＣ（ＣＰＵ）１１Ａは、図２に示した制御基板１１の画像処理回路部１１Ｅ及びラインメモリ回路１１Ｄを用いてＣＣＤラインセンサ２９からの画像情報を遅らせる処理を行う（ＳＴ１７）。
【００９４】
なお、原稿ｏｒｇは、搬送ドラム１８により原稿ガラス１３に押し付けられることで原稿ガラス１３に密着している。
【００９５】
原稿ｏｒｇは、搬送ドラム１８により順次送られ、原稿排紙部２０に排紙される（ＳＴ１８）。
【００９６】
次に、自動原稿送り装置３０を有する第２実施例のスキャナにおいて、第１キャリジ４と第２キャリジ７とを移動させるキャリジ移動による原稿読取りと、第１キャリジ４と第２キャリジ７とを固定して原稿を移動させる読取りとの相違について説明する。
【００９７】
まず、第２実施例で用いるＣＣＤラインセンサ２９の５ラインＣＣＤセンサについて説明する。ＣＣＤラインセンサ２９が５ラインＣＣＤセンサであるため、キャリッジ移動による画像読取りは、ＢＬＡＣＫ２、ＲＥＤ、ＧＲＥＥＮ、ＢＬＵＥ、ＢＬＡＣＫ１の順番となる。すなわち、上からＢＬＡＣＫ１フォトダイオードアレイ９Ｋ１１、ＢＬＵＥフォトダイオードアレイ９Ｂ１、ＧＲＥＥＮフォトダイオードアレイ９Ｇ１、ＲＥＤフォトダイオードアレイ９Ｒ１、及びＢＬＡＣＫ２フォトダイオードアレイ９Ｋ１２が順番に配置されている。
【００９８】
この５つのラインセンサは、図１０で示した位置関係に配置されているので、ＢＬＡＣＫ１とＢＬＵＥ間がｎライン、ＢＬＵＥとＧＲＥＥＮ間がｍライン、ＧＲＥＥＮとＲＥＤ間がｍライン、ＲＥＤとＢＬＡＣＫ２間がｎライン離れている。
【００９９】
画像処理回路部１１Ｅにおいては、ＲＥＤの画像情報とＧＲＥＥＮの画像情報とＢＬＵＥの画像情報、及びＢＬＡＣＫの画像情報とを重ねる処理を行うが、ここでは、ＢＬＡＣＫの画像情報がＢＬＡＣＫ１とＢＬＡＣＫ２と２つ存在する。
【０１００】
本発明では、画素数の少ないラインセンサから先に読取ることを特徴とする。従って、第２実施例では、キャリッジ移動による画像読取りでは、ＢＬＡＣＫ２の画像情報を用いず、ＢＬＡＣＫ１で得られた画像情報を用いて各色の画像位置合せを行う。
【０１０１】
次に、自動原稿送り装置３０を有する第２実施例のスキャナにおいて、第１キャリジ４と第２キャリジ７とを移動させるキャリジ移動による原稿読取りについて説明する。
【０１０２】
このようなキャリッジ移動時における画像情報の遅延処理を図１２のフローチャートを参照して説明する。なお、ここでもｍを４ライン、ｎを６ラインとする。
【０１０３】
まず、ＣＣＤラインセンサ２９で原稿ｏｒｇからの反射光の受光が開始された際（ＳＴ２１）、図１３に示すように最初にＢＬＡＣＫ２フォトダイオードアレイ９Ｋ１２が１ライン目の画像情報を読取る（ＳＴ２２）。
【０１０４】
ＢＬＡＣＫ２の１ライン目の画像情報は、６ライン（ｎ＝６）遅れてＲＥＤフォトダイオードアレイ９Ｒ１が読取る（ＳＴ２３）。
【０１０５】
ここで、第２実施例の処理ＩＣ（ＣＰＵ）１１Ａは、キャリッジ移動による原稿読取りであるので、ＢＬＡＣＫ２フォトダイオードアレイ９Ｋ１２からの画像情報を使用しない。そこで、処理ＩＣ（ＣＰＵ）１１Ａは、図１３に示すようにＲＥＤフォトダイオードアレイ９Ｒ１からの画像情報を基準として１ライン目とする。
【０１０６】
ＲＥＤの１ライン目の画像情報は、４ライン（ｍ＝４）遅れてＧＲＥＥＮフォトダイオードアレイ９Ｇ１が読取る（ＳＴ２４）。
【０１０７】
更に、そこから４ライン遅れてＢＬＵＥフォトダイオードアレイ９Ｂ１がＲＥＤの１ライン目の画像相当を読取る（ＳＴ２５）。
【０１０８】
更に、６ライン（ｎ＝６）遅れてＢＬＡＣＫ１フォトダイオードアレイ９Ｋ１１がＲＥＤの１ライン目の画像相当を読取る（ＳＴ２６）。
【０１０９】
このように処理ＩＣ（ＣＰＵ）１１Ａは、図２に示した制御基板１１の画像処理回路部１１Ｅ及びラインメモリ回路１１Ｄを用いて画像情報を遅らせる処理を行う（ＳＴ２７）。
【０１１０】
処理ＩＣ（ＣＰＵ）１１Ａは、自動原稿送り装置３０の原稿トレイ１５上に原稿がなくなった際（ＳＴ２８）、読取り動作を終了する。
【０１１１】
図１４は、この原稿読取り時の各色フォトダイオードアレイからの出力タイミングを示すものである（キャリッジ移動）。すなわち、最初にＲＥＤ、ｍライン後にＧＲＥＥＮ、さらにｍライン後にＢＬＵＥ、そしてｎライン後にＢＬＡＣＫ１が出力される。なお、ＢＬＡＣＫ２からも出力されるが、上述したようにここでは使用しない。
【０１１２】
上述したように、ＲＥＤ、ＧＲＥＥＮ、ＢＬＵＥ、ＢＬＡＣＫ１すべてのフォトダイオードアレイが原稿ｏｒｇ上の同一箇所を読取るまでに１４ライン分の時間が必要となる。
【０１１３】
従って、すべての画像情報を重ね合わせるには、ＲＥＤ画像情報を１４ライン、ＧＲＥＥＮ画像情報を１０ライン、ＢＬＵＥ画像情報を６ライン遅らせる必要がある。
【０１１４】
各フォトダイオードアレイの画素数と上記ライン間隔を考慮して必要なラインメモリ容量を算出すると以下のようになる。
【０１１５】
ＲＥＤ関連：３７５０画素×１４ライン→４ｋＢｙｔｅ×１４ライン＝５６ｋＢｙｔｅ
ＧＲＥＥＮ関連：３７５０画素×１０ライン→４ｋＢｙｔｅ×１０ライン＝４０ｋＢｙｔｅ
ＢＬＵＥ関連：３７５０画素×６ライン→４ｋＢｙｔｅ×６ライン＝２４ｋＢｙｔｅ
従って、必要なメモリ容量は１２０ｋＢｙｔｅとなる。
【０１１６】
次に、自動原稿送り装置３０を有する第２実施例のスキャナにおいて、第１キャリジ４と第２キャリジ７とを固定して原稿を移動させる読取りについて説明する。
【０１１７】
このようなキャリッジ固定時における画像情報の遅延処理を図１５のフローチャートを参照して説明する。なお、ここでもｍを４ライン、ｎを６ラインとする。
【０１１８】
まず、ＣＣＤラインセンサ２９で原稿からの反射光の受光が開始された際（ＳＴ３１）、図１６に示すように最初にＢＬＡＣＫ１フォトダイオードアレイ９Ｋ１１が１ライン目の画像情報を読取る（ＳＴ３２）。
【０１１９】
ＢＬＡＣＫ１の１ライン目の画像情報は、６ライン（ｎ＝６）遅れてＢＬＵＥフォトダイオードアレイ９Ｂ１が読取る（ＳＴ３３）。
【０１２０】
ここで、第２実施例の処理ＩＣ（ＣＰＵ）１１Ａは、キャリッジ固定による原稿読取りであるので、ＢＬＡＣＫ１フォトダイオードアレイ９Ｋ１１からの画像情報を使用しない。そこで、処理ＩＣ（ＣＰＵ）１１Ａは、図１６に示すようにＢＬＵＥフォトダイオードアレイ９Ｂ１からの画像情報を基準として１ライン目とする。
【０１２１】
ＢＬＵＥの１ライン目の画像情報は、４ライン（ｍ＝４）遅れてＧＲＥＥＮフォトダイオードアレイ９Ｇ１が読取る（ＳＴ３４）。
【０１２２】
更に、そこから４ライン遅れてＲＥＤフォトダイオードアレイ９Ｒ１がＢＬＵＥの１ライン目の画像相当を読取る（ＳＴ３５）。
【０１２３】
更に、６ライン（ｎ＝６）遅れてＢＬＡＣＫ２フォトダイオードアレイ９Ｋ１２がＢＬＵＥの１ライン目の画像相当を読取る（ＳＴ３６）。
【０１２４】
このように処理ＩＣ（ＣＰＵ）１１Ａは、図２に示した制御基板１１の画像処理回路部１１Ｅ及びラインメモリ回路１１Ｄを用いて画像情報を遅らせる処理を行う（ＳＴ３７）。
【０１２５】
処理ＩＣ（ＣＰＵ）１１Ａは、自動原稿送り装置３０に原稿がなくなった際（ＳＴ３８）、読取り動作を終了する。
【０１２６】
上述したように、キャリッジを固定して原稿を移動させた画像読取りでは、ＢＬＡＣＫ１、ＢＬＵＥ、ＧＲＥＥＮ、ＲＥＤ、ＢＬＡＣＫ２の順番となる。つまり、キャリッジを固定した原稿移動読取り時は、キャリジ移動読取り時に対して逆の読取り順番となる。
【０１２７】
本発明では、画素数の少ないラインセンサから先に読取ることを特徴とする。従って、第２実施例では、キャリッジを固定して原稿を移動させる画像読取りでは、ＢＬＡＣＫ１で得られた画像情報は用いず、ＢＬＡＣＫ２で得られた画像情報を用いて各色の画像位置合せを行う。
【０１２８】
図１７は、この原稿読取り時の各色フォトダイオードアレイからの出力タイミングを示すものである（キャリッジを固定した原稿移動）。すなわち、最初にＢＬＵＥ、ｍライン後にＧＲＥＥＮ、さらにｍライン後にＲＥＤ、そしてｎライン後にＢＬＡＣＫ２が出力される。なお、ＢＬＡＣＫ１からも出力されるが、上述したように使用しない。
【０１２９】
上述したように、ＲＥＤ、ＧＲＥＥＮ、ＢＬＵＥ、ＢＬＡＣＫ２のすべてのフォトダイオードアレイが原稿ｏｒｇ上の同一箇所を読取るまでに１４ライン分の時間が必要となる。
【０１３０】
従って、すべての画像情報を重ね合わせるには、ＢＬＵＥ画像情報を１４ライン、ＧＲＥＥＮ画像情報を１０ライン、ＲＥＤ画像情報を６ライン遅らせる必要がある。
【０１３１】
これらの画像情報を遅らせる処理は、図２に示した制御基板１１の画像処理回路部１１Ｅ及びラインメモリ回路１１Ｄで行われる。
【０１３２】
各フォトダイオードアレイの画素数と上記ライン間隔を考慮して必要なラインメモリ容量を算出すると以下のようになる。
【０１３３】
ＢＬＵＥ関連：３７５０画素×１４ライン→４ｋＢｙｔｅ×１４ライン＝２４ｋＢｙｔｅ
ＧＲＥＥＮ関連：３７５０画素×１０ライン→４ｋＢｙｔｅ×１０ライン＝４０ｋＢｙｔｅ
ＲＥＤ関連：３７５０画素×６ライン→４ｋβｙｔｅ×６ライン＝５６ｋＢｙｔｅ
従って、必要なメモリ容量は１２０ｋＢｙｔｅとなる。
【０１３４】
また、図３に示した４ラインＣＣＤセンサでは、先述した通り、ＣＣＤラインセンサ９の取り付けを上下逆にすることで、ライン補正に必要なメモリ容量が増加したが、図１０に示した５ラインＣＣＤセンサを用いた場合、ＣＣＤラインセンサ２９の取り付けを逆にしても読取る順番と使用するＢＬＡＣＫの画像情報が変わるだけでライン補正に必要なメモリ容量は変化しない。
【０１３５】
本第２実施例は、５つのラインセンサからなる５ラインＣＣＤセンサを用いて両端に配置したＢＬＡＣＫ１、またはＢＬＡＣＫ２の出力信号を切り替えることにより、キャリジ移動読取り、またはキャリッジを固定した原稿移動読取りのどちらでも画素数の少ないラインセンサから先に読取ることができる。それにより、各ラインセンサ間の補正を行うラインメモリの容量を小さく設定することができ、回路のコストダウンを図ることができる。
【０１３６】
以上説明したように上記発明の実施の形態によれば、画素数の異なる複数のラインセンサを有し、かつ、そのうち最も画素数の多いラインセンサを端に配置したＣＣＤラインセンサを用い、各ラインセンサの出力信号を合成して画像情報を形成する画像読取装置において、最も画素数の少ないラインセンサから画像を読み始め、得られた画像情報をライン単位で遅延させる処理を行うことにより、ラインを遅延させる処理を行うメモリ容量を最小限に抑えることができる。
【０１３７】
モノクロ読取り用の２つのラインセンサと、その２つのラインセンサの間にカラー読取り用の３つのラインセンサとを有し、その両端に配置したラインセンサの画素数を間に配置した３つのラインセンサより多く設定した画像読取装置において、両端に配置した２つのラインセンサのどちらか一方の出力のみを使い、かつ、最も画素数の少ないラインセンサから画像を読み始め、得られた画像情報をライン単位で遅延させる処理を行うことにより、ラインを遅延させる処理を行うメモリ容量を最小限に抑えることができる。
【０１３８】
また、両端のラインセンサの出力を切り替えることで、キャリジ移動読取りと原稿送り読取りの両方の場合で、最も画素数の少ないラインセンサから読み始めることにより、原稿の読取り方式によらずライン補正メモリを最小限に抑えることができる。
【０１３９】
また、５つのラインセンサからなるＣＣＤラインセンサを用いた場合、デバイスを上下逆さに取り付けても、両端のラインセンサの出力を切り替えることにより、常に最も画素数の少ないラインセンサから読み始めることが可能となる。
【０１４０】
なお、本願発明は、上記（各）実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題（の少なくとも１つ）が解決でき、発明の効果の欄で述べられている効果（の少なくとも１つ）が得られる場合には、この構成要件が削除された構成が発明として抽出され得る。
【図面の簡単な説明】
【０１４１】
【図１】本発明の一実施の形態を示す第１実施例のスキャナの概略構成を示す図。
【図２】制御基板の構成を示すブロック図。
【図３】ＣＣＤラインセンサの概略構成を示す図。
【図４】原稿の記載例を示す図。
【図５】原稿読取り時の各色フォトダイオードアレイからの出力タイミングを示す図。
【図６】第１実施例における読取り動作を説明するためのフローチャート。
【図７】各色フォトダイオードアレイの読取り順番を説明するための図。
【図８】各色フォトダイオードアレイの読取り順番を説明するための図。
【図９】第２実施例に係るスキャナの概略構成を示す図。
【図１０】ＣＣＤラインセンサの概略構成を示す図。
【図１１】自動原稿送り装置を用いた第２実施例におけるキャリッジ固定の読取り動作を説明するためのフローチャート。
【図１２】キャリッジ移動時における画像情報の遅延処理を説明するためのフローチャート。
【図１３】各色フォトダイオードアレイの読取り順番を説明するための図。
【図１４】原稿読取り時の各色フォトダイオードアレイからの出力タイミングを示す図。
【図１５】キャリッジ固定時における画像情報の遅延処理を説明するためのフローチャート。
【図１６】各色フォトダイオードアレイの読取り順番を説明するための図。
【図１７】原稿読取り時の各色フォトダイオードアレイからの出力タイミングを示す図。
【符号の説明】
【０１４２】
１…光源、２…リフレクタ、３…第１ミラー、４…第１キャリッジ、５…第２ミラー、６…第３ミラー、７…第２キャリッジ、８…集光レンズ、９，２９…ＣＣＤラインセンサ、１０…ＣＣＤセンサ基板、１１…制御基板、１２…白基準板、１３…原稿ガラス、１４…原稿押さえカバー、１５…スキャナ筐体、３０…自動原稿送り装置。
【図１】
2005124065.tif 000003
【図２】
2005124065.tif 000004
【図３】
2005124065.tif 000005
【図４】
2005124065.tif 000006
【図５】
2005124065.tif 000007
【図６】
2005124065.tif 000008
【図７】
2005124065.tif 000009
【図８】
2005124065.tif 000010
【図９】
2005124065.tif 000011
【図１０】
2005124065.tif 000012
【図１１】
2005124065.tif 000013
【図１２】
2005124065.tif 000014
【図１３】
2005124065.tif 000015
【図１４】
2005124065.tif 000016
【図１５】
2005124065.tif 000017
【図１６】
2005124065.tif 000018
【図１７】
2005124065.tif 000019